(57)【要約】【課題】便器の大きさ形状に係らず使用することができる汎用性の高い汚れ防止カバーを提供する。【解決手段】帯状のシート２から形成されており、シート２は、その長手方向に沿って、シート２を折り畳んだ複数の折り畳み部３を備えており、その一面には接着剤５が塗付されている。汚れ防止カバー１の一面に接着剤５が塗付されているので、汚れ防止カバー１を便器のリム部Ｒに貼り付ければ、汚れ防止カバー１によってリム部Ｒをカバーすることができる。しかも、汚れ防止カバー１は複数の折り畳み部３を有しているので、汚れ防止カバー１を屈曲させることが容易であり、その長さも自在に調節できる。よって、取り付ける便器の形状や大きさに係らず、汚れ防止カバー１を便器のリム部Ｒの上面および内面に取り付けることができる。【選択図】図１
0003139201.tif 000002
【実用新案登録請求の範囲】
【請求項１】
帯状のシートから形成されており、
該シートは、
その長手方向に沿って、該シートを折り畳んだ複数の折り畳み部を備えており、
その一面には接着剤が塗付されている
ことを特徴とする汚れ防止カバー。
【請求項２】
前記折り畳み部は、
折り畳まれた状態における互いに対向する面に、仮り止め用接着剤が塗付されている
ことを特徴とする請求項１記載の汚れ防止カバー。
【請求項３】
帯状のシートから形成されており、
該シートは、
その長手方向に沿って、該シートを折り畳んだ複数の折り畳み部を備えており、
該折り畳み部は、
折り畳まれた状態における互いに対向する面に、仮り止め用接着剤が塗付されている
ことを特徴とする汚れ防止カバー。
【請求項４】
前記シートが、トイレに流し得る紙によって形成されている
ことを特徴とする請求項１、２または３記載の汚れ防止カバー。
【考案の詳細な説明】
【技術分野】
【０００１】
本考案は、汚れ防止カバーに関する。さらに詳しくは、便器のリム部上面および内面に汚れが付着することを防止する汚れ防止カバーに関する。
【背景技術】
【０００２】
便器に付着した汚れは、便器に洗剤を付けた状態でブラシによって便器をこする、また、洗剤を含浸させた掃除用シートにより拭き取る等の方法により除去される。
しかし、一旦汚れが便器に付着するとその汚れは取れにくいため、便器に汚れが付着することを防止するカバーが開発されている（特許文献１）。
【０００３】
特許文献１には、平面形状が便器のリム部と同じ形状であって、その断面形状がコの字状に形成された汚れ防止カバーが開示されている。この汚れ防止カバーは、便器のリム部に被せるようにして取り付けることができるので、かかるカバーを取り付ければ、便器のリム部に汚れが付着することを防ぐことができ、カバーを取り外すだけで便器のリム部の掃除ができる。
【０００４】
しかるに、便器は大きさやその平面形状は様々であるので、特許文献１の汚れ防止カバーのように平面形状が特定の便器のリム部と同じ形状に形成されている場合、個々の便器形状に合ったカバーを使用しなければ、カバーによってリム部をきれいに被うことができない。つまり、便器形状に合ったカバーをそれぞれ準備しなければならず、汎用性に欠けるという問題がある。
汚れ防止カバーを無理に変形させれば、異なる形状の便器にも取り付けることはできるものの、カバーによってリム部をきれいに被うことができず、カバーが配置されない部分ができる可能性がある。すると、カバーが配置されなかった部分は、結局、人がブラシ等により汚れを落さなければならず、余計な手間がかかってしまう。
【０００５】
【特許文献１】実用新案登録第２６０２８３６号
【考案の開示】
【考案が解決しようとする課題】
【０００６】
本考案は上記事情に鑑み、便器の大きさ形状に係らず使用することができる汎用性の高い汚れ防止カバーを提供することを目的とする。
【課題を解決するための手段】
【０００７】
第１考案の汚れ防止カバーは、帯状のシートから形成されており、該シートは、その長手方向に沿って、該シートを折り畳んだ複数の折り畳み部を備えており、その一面には接着剤が塗付されていることを特徴とする。
第２考案の汚れ防止カバーは、第１考案において、前記折り畳み部は、折り畳まれた状態における互いに対向する面に、仮り止め用接着剤が塗付されていることを特徴とする。
第３考案の汚れ防止カバーは、帯状のシートから形成されており、該シートは、その長手方向に沿って、該シートを折り畳んだ複数の折り畳み部を備えており、該折り畳み部は、折り畳まれた状態における互いに対向する面に、仮り止め用接着剤が塗付されていることを特徴とする。
第４考案の汚れ防止カバーは、第１、第２または第３考案において前記シートが、トイレに流し得る紙によって形成されていることを特徴とする。
【考案の効果】
【０００８】
第１考案によれば、シートの一面に接着剤が塗付されているので、シートを便器のリム部に貼り付ければ、シートによってリム部をカバーすることができる。しかも、シートは複数の折り畳み部を有しているので、シートを屈曲させることが容易であり、その長さも自在に調節できる。よって、取り付ける便器の形状や大きさに係らず、シートを便器のリム部上面および内面に取り付けることができる。
第２考案によれば、折り畳み部が簡単に拡がらないので、便器にシートを取り付ける作業が容易になる。しかも、折り畳み部の接着剤も便器へのシートの固定に利用できるから、便器にシートをより安定した状態で取り付けることができる。
第３考案によれば、シートを便器のリム部に取り付ければ、シートによってリム部をカバーすることができる。しかも、シートは複数の折り畳み部を有しているので、シートを屈曲させることが容易であり、その長さも自在に調節できる。よって、取り付ける便器の形状や大きさに係らず、シートを便器のリム部に取り付けることができる。しかも、折り畳み部が簡単に拡がらないので、便器にシートを取り付ける作業が容易になる。また、折り畳み部が拡がったときに、折り畳み部の接着剤がシート裏面に露出すれば、その接着剤を便器にシートを固定するために利用することができる。
第４考案によれば、使用後のシートをトイレに流せるので、使用後の処理が容易になる。
【考案を実施するための最良の形態】
【０００９】
つぎに、本考案の実施形態を図面に基づき説明する。
図１は本実施形態の汚れ防止カバー１の概略説明図であって、（Ａ）は概略平面図であり、（Ｂ）裏面概略説明図であり、（Ｃ）は部分拡大図である。同図に示すように、本実施形態の汚れ防止カバー１は、複数の折り畳み部３が形成された帯状のシート２から構成されている。
【００１０】
この複数の折り畳み部３は、シート２をその長手方向と交差する折り目によって折り曲げて形成されたひだ状の部分であり、シート２の長手方向に沿って略等間隔となるように形成されている。
なお、複数の折り畳み部３は必ずしも略等間隔に配設する必要はなく、位置によって異なる間隔としてもよい。
【００１１】
また、各折り畳み部３には、その対向する面間、つまり、折り畳まれた部分の内面に仮止め用の接着剤４が塗付されており、通常は、対向する面同士がくっついた状態で拡がらないように構成されている。
【００１２】
以上のごとき構成であるから、汚れ防止カバー１は、通常は複数の折り畳み部３が折り畳まれた状態で維持されているが、その長手方向に引っ張る力が加えれば、仮止め用接着剤４による対向する面同士の接着がはがれて折り畳み部３を拡げることができる。
例えば、図２に示すように、汚れ防止シート１の幅方向の一端部（図２では１Ａで示す部分）だけを長手方向に引っ張れば、折り畳み部３における他端部側（図２では１Ｂで示す部分）の部分は折り畳まれた状態を維持しつつ、一端部１Ａ側だけを拡げることができる。つまり、汚れ防止シート１は、折り畳み部３を拡げることによって、その幅方向における一端部１Ａ側の長手方向の長さと、その幅方向における他端部１Ｂ側の長さとを、互いに異なる長さとすることができるのである。
【００１３】
また、図１（Ｂ）に示すように、汚れ防止カバー１の裏面には、接着剤５が添付されているのであるが、その理由は後述する。
【００１４】
つぎに、本実施形態の汚れ防止カバー１の使用方法を説明する。
本実施形態の汚れ防止カバー１は、便器のリム部Ｒに取り付けて使用するのであるが、以下のようにしてリム部Ｒに取り付ける。
【００１５】
図３に示すように、汚れ防止カバー１を便器のリム部Ｒに取り付けるときには、まず、汚れ防止カバー１における幅方向の一端部１Ａの裏面がリム部Ｒの上面に接するように、その長手方向の一端からリム部Ｒに沿って配置する。すると、汚れ防止カバー１における他端部１Ｂがリム部Ｒ内に位置するように配置された状態で、接着剤５によって汚れ防止シート１をリム部Ｒ上面に取り付けることができる。
【００１６】
ここで、リム部Ｒは曲がっているので、汚れ防止シート１の一端部１Ａを長手方向に引っ張りながら、汚れ防止シート１の一端部１Ａをリム部Ｂ上面に配置する。すると、一端部１Ａ側の折り畳み部３が拡がるが、他端部１Ｂ側の折り畳み部３は折り畳まれたままであるから、汚れ防止シート１をリム部Ｒの形状に沿って曲げることができる。
【００１７】
なお、折り畳み部３が拡がったときに接着剤４が汚れ防止カバー１の裏面側に露出するのであれば、接着剤５だけでなく露出した接着剤４もリム部Ｒに汚れ防止シート１を取り付ける接着剤として機能させることができる。
【００１８】
リム部Ｒの全周に汚れ防止シート１の端部１Ａを取り付けると(図４)、つぎに、汚れ防止シート１の他端部１Ｂを下方に折り曲げる（図５）。すると、この他端部１Ｂの裏面に塗布されている接着剤５によって、他端部１Ｂをリム部Ｒの内側面に貼り付けることができる(図６)。
【００１９】
以上のごとく、本実施形態の汚れ防止シート１を便器のリム部Ｒに貼り付ければ、汚れ防止シート１によってリム部Ｒの上面および内側面をカバーすることができるから、便器のリム部Ｒが汚れることを防ぐことができる。
【００２０】
しかも、汚れ防止シート１は複数の折り畳み部３を有しているので、折り畳み部３を拡げる割合等を調節すれば、折り畳み部３を屈曲させることが容易である。しかも、汚れ防止シート１は、その長さも自在に調節できるから、取り付ける便器の形状や大きさに係らず、汚れ防止シート１を便器のリム部Ｒに取り付けることができる。
【００２１】
そして、図７に示すように、便器のリム部Ｒに汚れ防止シート１を取り付けても、便座Ｓを下ろした状態では汚れ防止シート１が目立たたないので、汚れ防止シート１を取り付けたことによって外観が悪くなることがない。
【００２２】
なお、折り畳み部３の対向する面間に接着剤４が塗付されていなくてもよいが、接着剤４を塗付しておけば、折り畳み部３が簡単に伸びないので、便器にシートを取り付ける作業が容易になる。しかも、折り畳み部３の接着剤４を、便器に汚れ防止シート１を固定することにも利用できるから、便器に汚れ防止シート１をより安定した状態で取り付けることができる。
さらになお、接着剤４は、汚れ防止シート１を長手方向に引っ張ったときに、折り畳み部３の対向する面間の接着がはがれる程度の接着力を有するものであればよく、とくに限定されない。
【００２３】
また、汚れ防止カバー１のシート２の素材はとくに限定されないが、トイレに流し得る素材によって形成すれば、使用後の汚れ防止シート１をトイレに流せるので、使用後の処理が容易になる。この場合、接着剤４，５も同様にトイレに流せるものとするのは、いうまでもない。
そして、シート２の表面に撥水加工や抗菌防臭加工を施しておけば、汚れ防止カバー１に汚れが付着しにくくなるので、比較的長期間使用することも可能となるので、好ましい。
【００２４】
なお、接着剤５は、汚れ防止カバー１の裏面全面に塗布してもよいし、図１（Ｂ）に示すように、適当な位置にライン状に塗布してもよい。
さらになお、汚れ防止カバー１の裏面に接着剤５が初めから塗布されている場合、接着剤５の表面に剥離紙等を配置しておき、使用時に剥離紙等を取り外すようにしておいてもよく、この場合、接着剤５が他の部分に引っ付いたりしないので、汚れ防止カバー１の取り扱いが容易になる。
さらになお、汚れ防止カバー１の裏面に接着剤５が初めから塗布されている必要はなく、使用する直前に接着剤５を塗布するようにしてもよい。また、汚れ防止カバー１をリム部Ｒに取り付けるときに、折り畳み部３が拡がって接着剤４が汚れ防止カバー１の裏面側に露出するのであれば、汚れ防止カバー１の裏面に接着剤５は塗布しなくてもよい。この場合には、汚れ防止カバー１の裏面側に露出した接着剤４によって、汚れ防止カバー１をリム部Ｒに固定することも可能である。
【００２５】
また、図８に示すように、本発明の汚れ防止カバー１は、男性用の小便器のリム部に取り付けて使用することも可能であり、この場合もリム部に汚れが付着することを防ぐことができ、また、リム部の掃除が容易になるので、好適である。
【産業上の利用可能性】
【００２６】
本発明の汚れ防止カバーは、便器のリム部や小便器、流し台、洗面台等の汚れが付着しやすい部分を覆うカバーとして適している。
【図面の簡単な説明】
【００２７】
【図１】本実施形態の汚れ防止カバー１の概略説明図であって、（Ａ）は概略平面図であり、（Ｂ）裏面概略説明図であり、（Ｃ）は部分拡大図である。
【図２】汚れ防止カバー１における一部分１Ａの折り畳み部３を拡げた状態の説明図であって、（Ａ）は概略斜視図であり、（Ｂ）は部分拡大図である。
【図３】本実施形態の汚れ防止カバー１を便器のリム部Ｒに取り付ける作業の説明図である。
【図４】本実施形態の汚れ防止カバー１を便器のリム部Ｒに取り付ける作業の説明図である。
【図５】本実施形態の汚れ防止カバー１を便器のリム部Ｒに取り付ける作業の説明図である。
【図６】本実施形態の汚れ防止カバー１を便器のリム部Ｒに取り付けた状態の説明図である。
【図７】本実施形態の汚れ防止カバー１がリム部Ｒに取り付けられた便器の使用状態の説明図である。
【図８】本実施形態の汚れ防止カバー１がリム部Ｒに取り付けられた男性用の小便器の説明図である。
【符号の説明】
【００２８】
１        汚れ防止カバー
２        シート
３        折り畳み部
４        接着剤
５        接着剤
Ｒ        リム部
【図１】
0003139201.tif 000003
【図２】
0003139201.tif 000004
【図３】
0003139201.tif 000005
【図４】
0003139201.tif 000006
【図５】
0003139201.tif 000007
【図６】
0003139201.tif 000008
【図７】
0003139201.tif 000009
【図８】
0003139201.tif 000010